【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
被検体の対象部位が撮影されることにより取得された前記対象部位の医用画像を用いる医用装置において、
前記対象部位に位置する複数の特定部位を基に定義された前記対象部位の所定状態を記憶する記憶部と、
前記医用画像から前記複数の特定部位の位置を検出する検査手段と、
前記検出された複数の特定部位の位置を基に前記対象部位の実状態を定義する定義手段と、
前記定義された実状態と前記記憶部に記憶された前記所定状態との一致度合いに係る情報を得る判断部と、
を有する
ことを特徴とする医用装置。
【請求項２】
前記記憶部は、前記対象部位と前記対象部位の所定状態とを対応づけ記憶しておき、
前記検査手段は、前記対象部位の指定を受けることで前記医用画像から前記複数の特定部位の位置を検出する、
ことを特徴とする請求項１に記載の医用装置。
【請求項３】
前記記憶部は、前記対象部位の種類と、前記対象部位の種類に対応して、前記対象部位の内及び／又は外に位置する複数の特定部位の参照位置を基に所定の定義方法で定義された対象部位の所定状態と、を対応づけて記憶し、
前記検査手段は、前記対象部位の種類に対応した前記複数の特定部位を記憶しておき、前記対象部位の指定を受けたとき、前記医用画像から指定された対象部位の種類について前記複数の特定部位の位置を検出し、
前記定義手段は、前記対象部位の種類に対応して前記実状態を定義する定義方法を記憶しておき、前記対象部位の前記指定を受けたとき、前記検査手段で検出された前記複数の特定部位の位置を基に、前記指定された対象部位の種類についての前記定義方法で前記実状態を定義し、前記定義した対象部位の実状態を出力することを特徴とする請求項１または請求項２に記載の医用装置。
【請求項４】
前記検査手段は、前記対象部位として胎児頚部浮腫の部位の指定を受けて、前記医用画像から前記対象部位の外に位置する背骨上の複数の第１の特定部位の位置、及び、前記対象部位の外に位置する眼窩としての２つの第２の特定部位の位置を検出し、
前記定義手段は、前記２つの第２の特定部位の位置を結ぶ直線の中心位置と、前記複数の第１の特定部位との互いの位置の関係により前記実状態を定義し、
前記判断部は、前記定義された前記実状態と、前記中心位置、及び、前記複数の前記第１の特定部位の位置の全てが同一の平面内に存在することと定義された前記所定状態とが同じか否かを判断し、
前記判断部により前記実状態と前記所定状態とが同じであると判断されたとき、胎児頚部浮腫の厚さを計測可能に構成されることを特徴とする請求項３に記載の医用装置。
【請求項５】
前記定義手段は、前記直線の中心位置で該直線に直交する平面を求め、前記求めた前記平面と前記第１の特定部位との互いの位置の関係により前記実状態を定義し、
前記判断部は、前記定義された前記実状態と、前記複数の前記第１の特定部位の位置の全てが前記平面内に存在することと定義された前記所定状態とが同じか否かを判断することを特徴とする請求項４に記載の医用装置。
【請求項６】
前記定義手段は、前記複数の前記第１の特定部位の位置の全てが同一の平面内に存在するとき、前記存在した平面と前記中心位置との互いの位置の関係により前記実状態を定義し、
前記判断部は、前記定義された前記実状態と、前記平面が前記中心位置を通ることと定義された前記所定状態とが同じか否かを判断することを特徴とする請求項４に記載の医用装置。
【請求項７】
前記判断部により前記実状態と前記所定状態とが同じであると判断されたとき、前記医用画像を基に前記平面における正中矢状断面が生成され、さらに、前記正中矢状断面が表示されることにより、胎児頚部浮腫の厚さを計測可能に構成されることを特徴とする請求項４から請求項６のいずれかに記載の医用装置。
【請求項８】
前記検査手段は、前記医用画像の中から一つの医用画像を所定の順に読み出し、前記読み出した前記医用画像から前記複数の特定部位の位置を検出し、前記検出した複数の特定部位の位置を基に定義された前記実状態と前記記憶部に記憶された前記所定状態とが異なると判断されたとき、前記一つの医用画像の次の順の医用画像を読み出すことを特徴とする請求項１から請求項７のいずれかに記載の医用装置。
【請求項９】
前記検査手段は、前記対象部位として左室の指定を受けて、前記医用画像から前記対象部位の内に位置する左室の入口の両側に位置する僧帽弁としての２つの第３の特定部位の位置、及び、前記対象部位の内に位置する前記入口から左室の奥に位置する奥壁としての第４の特定部位の位置を検出し、
前記定義手段は、２つの前記第３の特定部位の位置を結ぶ直線を求め、前記直線の中心位置と前記第４の特定部位の位置との両者間の距離である左室長軸長を求めることにより前記実状態を定義し、
前記判断部は、前記求められた前記左室長軸長が最も長いとき、前記定義された前記実状態と前記所定状態とが同じになったと判断し、
前記判断部により前記実状態と前記所定状態とが同じになったと判断されたとき、前記最も長い前記左室長軸長を出力可能に、及び／又は、そのときの左室の断面積である長軸断面積を計測可能に構成されることを特徴とする請求項３に記載の医用装置。
【請求項１０】
前記検査手段は、前記医用画像の中から所定数の医用画像を所定の順に読み出し、前記読み出した前記医用画像を基に前記第３の特定部位及び前記第４の特定部位の位置を検出し、
前記定義手段は、前記検査手段により前記所定数の医用画像を基に検出された前記第３の特定部位及び前記第４の特定部位の位置から前記所定数の前記左室長軸長を求め、
前記判断部は、前記定義手段により求められた前記左室長軸長が前記所定数の前記左室長軸長の中で最も長いとき、前記定義された前記実状態と前記所定状態とが同じになったと判断することを特徴とする請求項９に記載の医用装置。
【請求項１１】
被検体の対象部位を超音波で走査することにより前記対象部位の超音波画像を取得する超音波診断装置において、
前記対象部位に位置する複数の特定部位を基に定義された前記対象部位の所定状態を記憶する記憶部と、
逐次前記取得された前記超音波画像から一つの超音波画像を読み出し、前記読み出した超音波画像から前記複数の特定部位の位置を検出する検査手段と、
前記検出された複数の特定部位の位置を基に前記対象部位の実状態を定義する定義手段と、
前記定義された実状態と前記記憶部に記憶された前記所定状態との一致度合いに係る情報を得る判断部と、
を有する
ことを特徴とする超音波診断装置。
【請求項１２】
前記検査手段は、前記超音波画像の中から一つの超音波画像を所定の順に読み出し、前記読み出した前記超音波画像から前記複数の特定部位の位置を検出し、前記検出した複数の特定部位の位置を基に定義された前記実状態と前記記憶部に記憶された前記所定状態とが異なると判断されたとき、前記一つの超音波画像の次の順の超音波画像を読み出すことを特徴とする請求項１１に記載の超音波診断装置。
【請求項１３】
前記検出した複数の特定部位の位置を基に定義された前記実状態と前記記憶部に記憶された前記所定状態とが同じであると判断されたとき、前記複数の特定部位の位置を検出したときに用いた前記超音波画像を基に、前記対象部位について計測可能に構成されることを特徴とする請求項１２に記載の超音波診断装置。
【手続補正２】
【補正対象書類名】明細書
【補正対象項目名】０００８
【補正方法】変更
【補正の内容】
【０００８】
上記課題を解決するために、実施形態の医用装置は、被検体の対象部位が撮影されることにより取得された対象部位の３次元の医用画像を用いるものであり、記憶部と、検査手段と、定義手段と、判断部とを有する。記憶部は、対象部位に位置する複数の特定部位を基に定義された対象部位の所定状態を記憶する。検査手段は、複数の特定部位の位置を検出する。定義手段は、検出された複数の特定部位の位置を基に対象部位の実状態を定義する。判断部は、定義された実状態と記憶部に記憶された所定状態との一致度合いに係る情報を得る。